(57)【要約】【課題】上下複数段の任意の棚板から下方の棚板の前方を覆いうるようにし、それより上方の棚板を多目的に使用しうるようにした商品陳列棚のカバー装置を提供する。【解決手段】左右１対のブラケット８における後端部の対向面に、前方に引き出し可能なスクリ−ン１３aの先端に左右方向を向く引出しロッド１７を有するロールスクリ−ン１３を取付け、かつ、同じく前記左右１対のブラケット８の前端部の対向面に、左右方向を向くガイドロッド１５を、棚板１０の前端との間にスクリ−ン１３aを挿通しうるだけの隙間Ｓが形成されるようにして取付け、前方に引き出した引出しロッド１７を、棚板１０の前端部とガイドロッド１５に当接させて巻き込みを防止し、かつこの位置から引出しロッド７を引き下げることにより、ブラケット８より下方の棚板１０の前方を覆いうるようにする。【選択図】  図６
2009078042.tif 000002
【特許請求の範囲】
【請求項１】
左右の支柱に、前方を向く左右１対のブラケットを、上下方向に離間させて複数対取付け、それぞれの左右１対ずつのブラケットにより棚板を支持してなる商品陳列棚において、
前記いずれかの左右１対のブラケットにおける対向面に、前方に引き出し可能なスクリ−ンの先端に左右方向を向く引出しロッドを有する巻き込み式のロールスクリ−ンを取付け、かつ、同じく前記左右１対のブラケットの前端部の対向面に、左右方向を向くガイドロッドを、前記棚板の前端との間にスクリ−ンを挿通しうるだけの隙間が形成されるようにして取付け、前方に引き出したスクリ−ンの引出しロッドを、棚板の前端部とガイドロッドに当接させて巻き込みを防止し、かつこの位置から引出しロッドを引き下げることにより、ロールスクリ−ンが取付けられているブラケットより下方の棚板の前方を覆いうるようにしたことを特徴とする商品陳列棚のカバー装置。
【請求項２】
左右のブラケットの後端に、下向き鉤状の係合爪を上下複数突設し、この係合爪を、左右の支柱の前面に上下方向に多数列設された係合孔に選択的に係合することにより、左右のブラケット及びそれにより支持された棚板を、支柱の前面に上下位置変更可能に取付けてなる請求項１記載の商品陳列棚のカバー装置。
【請求項３】
左右のブラケットの後端部下縁に、内向きの支持片を連設し、両支持片の上面に、左右両端に起立片を有する左右方向を向く取付ブラケットを取付け、この取付ブラケットにおける前記両起立片の対向面に、ロールスクリ−ンを取付けてなる請求項１または２記載の商品陳列棚のカバー装置。
【請求項４】
引出しロッドを、棚板の前下端とガイドロッドの前面に当接させることにより、棚板の前下端の下方に位置するようにしてなる請求項１〜３のいずれかに記載の商品陳列棚のカバー装置。
【発明の詳細な説明】
【技術分野】
【０００１】
本発明は、棚板の前方を覆いうるようにした商品陳列棚のカバー装置に関する。
【背景技術】
【０００２】
店舗等において、例えば薬剤や化粧品等、薬剤師又は店員による商品説明が必要な商品の場合には、閉店または薬剤師や店員等が不在となる際に、商品陳列棚の棚板上の商品をカバーにより目隠しして、来客に、商品の販売が終了または一時中断していることを報知することがある。
本願の出願人は、このようなときに使用されるカバー装置を案出し、先に特許出願している(特許文献１参照)。
【特許文献１】特開２００６−２１２３０４号公報
【発明の開示】
【発明が解決しようとする課題】
【０００３】
上記特許文献に記載されているカバー装置は、商品陳列棚におけるベース棚板の前端に取付けたロールスクリ−ンの端部の引出しロッドを上方に引き上げ、スクリ−ンに挾入したガイドロッドを、陳列棚の左右の支柱の上端部に取付けた１対の支持アームの先端部に係止して、スクリ−ンを後向きに直角に折曲させることにより、上下複数段の全ての棚板の前方と、最上段の棚板の上方とを覆うようにしている。
【０００４】
そのため、全ての棚板上の商品がスクリ−ンにより目隠しされることとなり、例えば上下複数段の棚板の内、任意の棚板から下方の棚板に、薬剤等の商品説明が必要な商品を陳列して、それらの前方をスクリ−ンにより目隠し、それより上方の棚板には、商品説明が不要で、スクリ−ンにより目隠しする必要のない商品を陳列したり、ストックしたりすることができないだけでなく、上方の棚板を、他の用途に多目的に使用することができなかった。
【０００５】
また、従来のカバー装置においては、スクリ−ンを引き上げて商品を目隠しする際、ガイドロッドも共に上方に持ち上げて、１対のスクリ−ン支持アームの先端部に係止したり、不使用時にはそれからガイドロッドを取り外す必要があるため、その作業が面倒である。
さらに、ロールスクリ−ン、その保持部材、及びガイドロッド等が別体であり、かつ外部に露呈して取付けられているので、カバー装置全体をユニット化して、商品陳列棚に体裁よく取付けることができなかった。
【０００６】
本発明は、上記問題点に鑑みてなされたもので、上下複数段の任意の棚板から下方の棚板の前方を覆いうるようにし、それより上方の棚板を多目的に使用しうるようにするとともに、スクリ−ンによる目隠し作業が容易で、かつ全体をユニット化して体裁よく取付けうるようにした、商品陳列棚のカバー装置を提供することを目的としている。
【課題を解決するための手段】
【０００７】
本発明によると、上記課題は、次のようにして解決される。
(１)  左右の支柱に、前方を向く左右１対のブラケットを、上下方向に離間させて複数対取付け、それぞれの左右１対ずつのブラケットにより棚板を支持してなる商品陳列棚において、前記いずれかの左右１対のブラケットにおける対向面に、前方に引き出し可能なスクリ−ンの先端に左右方向を向く引出しロッドを有する巻き込み式のロールスクリ−ンを取付け、かつ、同じく前記左右１対のブラケットの前端部の対向面に、左右方向を向くガイドロッドを、前記棚板の前端との間にスクリ−ンを挿通しうるだけの隙間が形成されるようにして取付け、前方に引き出したスクリ−ンの引出しロッドを、棚板の前端部とガイドロッドに当接させて巻き込みを防止し、かつこの位置から引出しロッドを引き下げることにより、ロールスクリ−ンが取付けられているブラケットより下方の棚板の前方を覆いうるようにする。
【０００８】
(２)上記(１)項において、左右のブラケットの後端に、下向き鉤状の係合爪を上下複数突設し、この係合爪を、左右の支柱の前面に上下方向に多数列設された係合孔に選択的に係合することにより、左右のブラケット及びそれにより支持された棚板を、支柱の前面に上下位置変更可能に取付ける。
【０００９】
(３)上記(１)または(２)項において、左右のブラケットの後端部下縁に、内向きの支持片を連設し、両支持片の上面に、左右両端に起立片を有する左右方向を向く取付ブラケットを取付け、この取付ブラケットにおける前記両起立片の対向面に、ロールスクリ−ンを取付ける。
【００１０】
(４)  上記(１)〜(３)項のいずれかにおいて、引出しロッドを、棚板の前下端とガイドロッドの前面に当接させることにより、棚板の前下端の下方に位置するようにする。
【発明の効果】
【００１１】
請求項１記載の発明によれば、棚板の前端部とガイドロッドにより巻き込みが防止されている引出しロッドを把持し、これを引き下げるだけの簡単な操作で、ロールスクリ−ンが取付けられたブラケットよりも下方に位置する全ての棚板または一部の棚板の前方を、スクリ−ンにより覆うことができる。
また、ロールスクリ−ンよりも下方の棚板には、例えば商品説明が必要で、かつ目隠しの必要な商品を陳列し、ロールスクリ−ンよりも上方の棚板は、商品説明が不要で、目隠しする必要のない商品の陳列やストックに使用したり、あるいは販売促進用ディスプレイを載置したりなど、多目的に使用することができる。
棚板を支持するブラケットに、ロールスクリ−ンを取り付けているので、カバー装置の部品点数が少なくて済み、コスト低減が図れる。
また、左右のブラケット、ロールスクリ−ン及びガイドロッドよりなるカバー装置を、予めユニット化して、支柱に簡単に取付けることができるとともに、ロールスクリ−ンやガイドロッドが、棚板の直下において左右のブラケット間に位置し、外部に露呈しないので体裁がよい。
【００１２】
請求項２記載の発明によれば、ブラケットの係合爪を、支柱の前面の係合孔に係合させるだけの簡単な作業で、カバー装置の上下位置を自在に変更することができる。
また、支柱の前面に係合孔を有する既存の商品陳列棚にも、カバー装置を簡単に後付けすることが可能となる。
【００１３】
請求項３記載の発明によれば、左右のブラケットの後端部同士が、取付ブラケットにより連結され、かつこの取付ブラケットにロールスクリ−ンを取付けているので、カバー装置が左右方向にぐらつくのが防止され、これを支柱の前面に安定よく取付けることができる。
【００１４】
請求項４記載の発明によれば、引出しロッドを容易に把持して引き下げることができる。
【発明を実施するための最良の形態】
【００１５】
以下、本発明の一実施形態を、図面に基づいて説明する。
図１及び図２は、本発明のカバー装置の一実施形態を備える商品陳列棚の斜視図で、図１は、カバー装置不使用時を、図２は、同じく使用時を、それぞれ示している。
【００１６】
商品陳列棚１は、前方を向くベース脚２と、その両側部後端より起立し、上下両端部の対向面同士を横杆３、３により連結された左右１対の支柱４、４と、上下の横杆３、３と左右の支柱４、４との間に嵌め込まれた背板５と、ベース脚２に載置されたベース棚板６と、両支柱４の前面に列設された係合孔７に後端が係合された、後記するロールスクリ−ン１３のブラケットも兼ねる最上部の左右１対の前方を向くブラケット８と、このブラケット８の下方において、係合孔７に後端が係合された互いに同形をなす左右１対ずつの上下複数のブラケット９と、これら左右の各ブラケット８、９により支持された上下複数段の棚板１０とを備え、ベース棚板６と各段の棚板１０には、商品１１が載置されている。
【００１７】
商品陳列棚１における最上段の棚板１０の直下には、カバー装置１２が、以下に詳述するようにして取付けられている。
カバー装置１２は、図３〜図６に示すように、棚板６、１０の左右寸法とほぼ等しい左右寸法のロールスクリ−ン１３と、このロールスクリ−ン１３を支持する左右１対のブラケット、すなわち、上記最上段の棚板１０を支持しているブラケット８、８と、両ブラケット８の前端部対向面に、止めねじ１４により取付けられた左右方向を向くガイドロッド１５とを備えている。
【００１８】
ロールスクリ−ン１３は、正面視上向コ字状の取付ブラケット１６の左右両端における起立片１６a、１６aに回転自在に枢支された、巻取りロック及びロック自動解除機構が内蔵された公知の巻き込み式のもので、多重に巻回されたスクリ−ン１３aの引出し端には、左右方向を向く引出しロッド１７が取付けられている。
【００１９】
図５に示すように、左右のブラケット８の前後寸法は、その上端部が、棚板１０における上面板１０a、左右の側片１０b、斜め前下向きの前片１０c、及び下向きの後片１０dにより囲まれた、下方に開口する凹部内に遊嵌される寸法とされ、ガイドロッド１５と前片１０cの下端との間には、スクリ−ン１３aが余裕をもって挿通可能で、かつ引出しロッド１７が挿通不能な、その直径よりも小さな隙間Ｓが形成されるようにしてある。
【００２０】
左右のブラケット８の後端には、上記両支柱４の上下に隣接する３個の係合孔７に係合可能な下向き鉤状の３個の係合爪１８が突設されている。
また、両ブラケット８の後端部の下端には、内向きの支持片１９ が連設され、この支持片１９ の上面には、上記取付ブラケット１６を保持するための側面視コ字状をなす保持部材２０が、それに設けた２個のめねじ孔２１に、支持片１９の下方より挿入した止めねじ２２、２２を螺合することにより、固定されている。
【００２１】
止めねじ２２の長さは、その上端が保持部材２０の上面より突出しない寸法とされている。
また、保持部材２０における起立片２０a、２０aの上下寸法は、取付ブラケット１６の横向水平片１６bの厚さよりも大きく、かつ上端部の開口幅を、横向水平片１６bの前後寸法より若干小としてある。従って、左右の保持部材２０の起立片２０a間に、横向水平片１６bを上方より強く嵌合すると、取付ブラケット１６が保持部材２０より簡単に外れるのが防止され、取付ブラケット１６及びそれに枢支されたロールスクリ−ン１３が、左右のブラケット８の対向面間に位置するようにして、それらにより支持される。
【００２２】
なお、最上部のブラケット８より下方の各ブラケット９は、内向きの支持片１９と止めねじ１４の挿通孔を有しないだけで、ブラケット８と互換性を有している。従って、ブラケット８は、支柱４の上下方向の係合孔７に選択的に係合可能であり、下位のいずれかのブラケット９の代わりに、ブラケット８を支柱４に装着すれば、最上段の棚板１０よりも下方の任意の棚板１０の直下に、カバー装置１２を付け替えることができる。
【００２３】
図４は、上記各部材を組み付けてユニット化されたカバー装置１２を示し、このカバー装置１２を商品陳列棚１に取付けるには、まず、左右のブラケット８の後端の係合爪１８を、左右の支柱４の前面に設けた係合孔７の上端部のものに係合させる。
【００２４】
ついで、ロールスクリ−ン１３の引出しロッド１７を把持し、図５に示すように、スクリ−ン１３aを、その前端部がガイドロッド１５の上面に被さるまで前方に引っ張り、引出しロッド１７がガイドロッド１５の直前に位置するようにして、スクリ−ン１３aの巻き取りをロックする。
【００２５】
ついで、左右のブラケット８の上部に、上方より棚板１０を被せてこれを支持すれば、図５に示すように、引出しロッド１７は、棚板１０の前片１０cの下端及びガイドロッド１５の前端と当接して巻き込みが防止される。
【００２６】
閉店または販売員が不在となるときなどにおいて、最上段の棚板１０から下方の棚板６、１０に載置した商品１１を目隠しするには、図２及び図６に示すように、引出しロッド１７を把持して、下方に引っ張ればよい。
この際、内部の巻取りロック機構が作用して、スクリーン１３aが巻取られるのが防止されることにより、スクリーン１３aは、引出しロッド１７の重さにより垂下した状態に保持される。
【００２７】
これにより、商品陳列棚１における最上段の棚板１０より下方に位置する全ての棚板６、１０または上方の一部の棚板１０の前方を覆うことが可能となり、それらに載置された商品１１が前方から目隠しされる。
また、最上段の棚板１０は、例えば商品説明が不要で、目隠しする必要のない商品１１の陳列やストックに使用したり、または販売促進用ディスプレイを載置したりなど、多目的に使用することができる。
【００２８】
前述したように、ロールスクリ−ン１３を支持している最上部のブラケット８は、その下方のブラケット９と互換性があるので、カバー装置１２の取付位置を下方に変更することにより、任意の棚板１０から下方の棚板の前方を覆うこともできる。
【００２９】
最上段の棚板１０を支持しているブラケット８は、カバー装置１２におけるロールスクリ−ン１３を支持するブラケットも兼ねているので、カバー装置１２の構成部材の部品点数が少なくて済み、コスト低減が図れる。
また、カバー装置１２を、棚板１０の直下における支柱４に、予めユニット化して簡単に取付けることができるとともに、ロールスクリ−ン１３等が外部に露呈せず、目立たないので体裁がよい。しかも、ユニット化したカバー装置１２を、既存の商品陳列棚に後付けすることもできる。
【００３０】
さらに、ロールスクリ−ン１３の引出しロッド１７を、棚板１０とガイドロッド１５との前端により巻き込みを防止しておき、この引出しロッド１７を引き下げるだけの簡単な操作で、棚板６、１０の全部または一部の前方を覆うことができる。
【００３１】
なお、上記実施形態では、ロールスクリーン１３を、取付ブラケット１６により枢支し、この取付ブラケット１６を、保持部材２０を介して左右のブラケット８の支持片１９に取り付けているが、取付ブラケット１６、保持部材２０、及び支持片１９を省略し、ロールスクリーン１３を、左右のブラケット８の対向面に直接取付けることも可能である。このようにすると、ブラケット８、９を共通化することができる。
【００３２】
また、上記実施形態においては、ロールスクリーン１３の引出しロッド１７を、棚板１０とガイドロッド１５との前端に当接させて、巻き込みを防止しているが、棚板１０の前後寸法を若干長くするか、ブラケット８の前後寸法を若干短寸として、引出しロッド１７を、棚板１０の前端部下部の凹部内に収容するようにしてもよい。このようにすると、不使用時において引出しロッド１７が外部に露呈しないので、体裁がよくなる。
【００３３】
ガイドロッド１５を、左右方向を向く軸回りに回転自在に取付けてもよい。このようにすると、スクリーン１３aとガイドロッド１５との摩擦抵抗が小さくなるので、スクリーン１３aを軽快に引っ張ることができるとともに、それが損傷する恐れも小さくなる。
【図面の簡単な説明】
【００３４】
【図１】本発明のカバー装置の一実施形態を備える商品陳列棚におけるカバー装置不使用時の斜視図である。
【図２】同じく、カバー装置のスクリーンを引いて商品を目隠ししたときの斜視図である。
【図３】同じく、カバー装置の分解斜視図である。
【図４】同じく、カバー装置組立時の斜視図である。
【図５】同じく、図１の状態の要部の拡大側面図である。
【図６】同じく、図２の状態の要部の拡大側面図である。
【符号の説明】
【００３５】
１    商品陳列棚
２    ベース脚
３    横杆
４    支柱
５    背板
６    ベース棚板
７    係合孔
８    ブラケット
９    ブラケット
１０  棚板
１０a 上面板
１０b  側片
１０c 前片
１０d 後片
１１  商品
１２  カバー装置
１３  ロールスクリーン
１３a スクリーン
１４  止めねじ
１５  ガイドロッド
１６  取付ブラケット
１６a 起立片
１６b 横向水平片
１７  引出しロッド
１８  係合爪
１９  支持片
２０  保持部材
２０a 起立片
２１  めねじ孔
２２  止めねじ
Ｓ    隙間
【図１】
2009078042.tif 000003
【図２】
2009078042.tif 000004
【図３】
2009078042.tif 000005
【図４】
2009078042.tif 000006
【図５】
2009078042.tif 000007
【図６】
2009078042.tif 000008